(57)【要約】【課題】本発明の課題は、接続部の形状が小型化され、狭隘箇所において、配線ケーブルの接続が可能となり、低廉化が要求されるホームネットワークの用に供し易い簡易接続型アダプタ及びケーブル配線方法を提供することにある。【解決手段】本発明は、一方の配線ケーブルを他方の配線ケーブルに接続する際、両方の配線ケーブルにそれぞれ接続されたフェルールの端面を突き合わせ、突き合わせたフェルール部分に被せられ両方の配線ケーブルのコアを調心する割りスリーブ１と、前記割りスリーブ１を覆うように設けられ両方の配線ケーブルのフェルールを固定するゴム管２とを具備することを特徴とするものである。【選択図】      図１
2005164755.tif 000002
【特許請求の範囲】
【請求項１】
一方の配線ケーブルを他方の配線ケーブルに接続する際、両方の配線ケーブルにそれぞれ接続されたフェルールの端面を突き合わせ、突き合わせたフェルール部分に被せられ両方の配線ケーブルのコアを調心する割りスリーブと、
前記割りスリーブを覆うように設けられ両方の配線ケーブルのフェルールを固定する弾性体よりなる筒部材と
を具備することを特徴とする簡易接続型アダプタ。
【請求項２】
両方の配線ケーブルの接続部での繰返し挿抜が可能であるように割りスリーブ及び弾性体よりなる筒部材を構成したことを特徴とする請求項１に記載の簡易接続型アダプタ。
【請求項３】
両方の配線ケーブルの接続点での損失、反射減衰量などの伝送特性に影響を与えないように、割りスリーブで両方の配線ケーブルのコアを調心すると共に接続点のフェルール端面が圧接するように弾性体よりなる筒部材で収縮力を付与することを特徴とする請求項１又は２に記載の簡易接続型アダプタ。
【請求項４】
配線ケーブルとして、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いることを特徴とする請求項１、２又は３に記載の簡易接続型アダプタ。
【請求項５】
請求項１乃至４のいずれか１項に記載の簡易接続型アダプタを用いて、建物内に配線ケーブルが配線されたことを特徴とするケーブル配線方法。
【発明の詳細な説明】
【技術分野】
【０００１】
本発明は、戸建住宅、ビル構内などの建物内に布設された光ファイバなどの配線ケーブルを接続する際に用いられる簡易接続型アダプタ及びケーブル配線方法に関するものである。
【背景技術】
【０００２】
従来の技術としては、戸建住宅、ビル構内などの建物内に布設された光ファイバなどの配線ケーブルを接続する際、各々の配線ケーブルの一端に取り付けられたＦ０４形単心光ファイバコネクタ「ＳＣ（Ｓｉｎｇｌｅ  ｆｉｂｅｒ  Ｃｏｕｐｌｉｎｇ）形光コネクタ」などのコネクタについて、光アダプタを介し、機械的に接続していた。従来の光アダプタは、主に、光コネクタに付随されているフェルールなどに挿入された光ファイバのコア（中心軸）を調心するスリーブと、光コネクタの接続部を保護し、接続される光コネクタの繰返し挿抜（コネクタの取外し）が可能となるようなハウジング（筐体）などから構成される。
【０００３】
戸建住宅、ビル構内などの建物内において、布設された光ファイバなどの配線ケーブルを接続する際、十分にスペースが確保された場所では、従来から利用されている光アダプタによる配線方法は可能であるが、アウトレット内スイッチボックス（日本工業規格（ＪＩＳ）Ｃ８３０５に準拠、形状５６×１０２×３５ｍｍ）、部屋間管路内などの狭隘箇所での用に供することは困難であった。運用後の配線障害（ケーブル断線、損失、反射減衰量の規格値超えなど）に備え、接続部近傍では、配線ケーブルの余長を確保する必要があり、余長収納スペース（例えば、光ファイバの許容曲げ半径は３０ｍｍ以上）を考慮した配線設計について、光アダプタの形状が相対的に大きいため、アウトレット内スイッチボックス、部屋間管路内などの狭隘箇所で実施することは煩雑な作業となっていた。
【０００４】
また、光アダプタと配線ケーブルの先端に取り付けられた従来のＦ０４形単心光ファイバコネクタ「ＳＣ形光コネクタ」などのコネクタのハウジングについて、繰返し挿抜を可能とするため、機構が複雑（美観を損ね）かつ高価となり、低廉化が要求されるホームネットワークの用に供することは困難であった。
【０００５】
従来のＳＣ形光コネクタ技術として非特許文献１がある。
【非特許文献１】日本電信電話（株）研究開発推進部企画編集  「ＮＴＴ技術ジャーナル第９巻第７号」（社）電気通信協会発行  平成９年７月１日  ｐ．１９−２３
【発明の開示】
【発明が解決しようとする課題】
【０００６】
本発明は上記の事情に鑑みてなされたもので、戸建住宅、ビル構内などの建物内に布設された配線ケーブルを接続する際、接続部の形状が小型化され、アウトレット内スイッチボックス、部屋間管路内などの狭隘箇所において、配線ケーブルの接続が可能となり、ユーザなどにとって、低廉化が要求されるホームネットワークの用に供し易い簡易かつ小型化を図った簡易接続型アダプタ及びケーブル配線方法を提供することを目的とする。
【課題を解決するための手段】
【０００７】
上記目的を達成するために本発明の簡易接続型アダプタは、一方の配線ケーブルを他方の配線ケーブルに接続する際、両方の配線ケーブルにそれぞれ接続されたフェルールの端面を突き合わせ、突き合わせたフェルール部分に被せられ両方の配線ケーブルのコアを調心する割りスリーブと、前記割りスリーブを覆うように設けられ両方の配線ケーブルのフェルールを固定する弾性体よりなる筒部材とを具備することを特徴とするものである。
【０００８】
また本発明は、前記簡易接続型アダプタにおいて、両方の配線ケーブルの接続部での繰返し挿抜が可能であるように割りスリーブ及び弾性体よりなる筒部材を構成したことを特徴とするものである。
【０００９】
また本発明は、前記簡易接続型アダプタにおいて、両方の配線ケーブルの接続点での損失、反射減衰量などの伝送特性に影響を与えないように、割りスリーブで両方の配線ケーブルのコアを調心すると共に接続点のフェルール端面が圧接するように弾性体よりなる筒部材で収縮力を付与することを特徴とするものである。
また本発明は、前記簡易接続型アダプタにおいて、配線ケーブルとして、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いることを特徴とするものである。
【００１０】
また本発明のケーブル配線方法は、前記簡易接続型アダプタを用いて、建物内に配線ケーブルが配線されたことを特徴とする。
【発明の効果】
【００１１】
本発明の簡易接続型アダプタ及びケーブル配線方法は、戸建住宅、ビル構内などの建物内の部屋間の配線用として、配線ケーブルの接続部において、従来の光アダプタだけでなく、配線ケーブルの先端に取り付けられたＦ０４形単心光ファイバコネクタ「ＳＣ形光コネクタ」などのコネクタの形状についても形状を簡略化できる。そのため、アウトレット内スイッチボックス、部屋間管路内などの狭隘箇所での配線ケーブルの接続が可能となり、ユーザなどにとって、低廉化が要求されるホームネットワークの用に供し易い。
【発明を実施するための最良の形態】
【００１２】
以下図面を参照して本発明の実施の形態例を詳細に説明する。
図１は本発明の実施形態例に係る簡易接続型アダプタを示し、（ａ）は簡易接続型アダプタを構成する割りスリーブ、（ｂ）は簡易接続型アダプタ、（ｃ）は簡易接続型アダプタの使用例である。図において、１は割りスリーブ、２は弾性体よりなる筒部材の一例としてのゴム管、３はＳＣ形光コネクタである。
【００１３】
図１（ａ）に示すように、割りスリーブ１は例えばリン青銅や、ジルコニアセラミック等により円筒状に形成されると共に円筒状の側壁には軸方向に１条のスリット（割り）が設けられる。
【００１４】
図１（ｂ）に示すように、前記割りスリーブ１の周囲には円筒状のゴム管２が覆われる。
【００１５】
図１（ｃ）に示すように、一方のＳＣ形光コネクタ３は他方のＳＣ形光コネクタ３に図１（ｂ）に示す簡易接続型アダプタで接続される。すなわち、ＳＣ形光コネクタ３はプラグの後端に接続された配線ケーブルの一例としての光ファイバが円筒棒状のフェルールの中心に固着され、このフェルールの先端部がプラグの先端から突出して設けられる。したがって、プラグの先端から突出したフェルールの先端部を円筒状のゴム管２および割りスリーブ１の両端からそれぞれ挿入し、互いに突き合わせることによって一方の光ファイバを他方の光ファイバに接続する。この場合、割りスリーブ１は互いに突き合わせたフェルール部分に被せられることにより両方の光ファイバのコアを調心すると共に、ゴム管２は前記割りスリーブ１を覆うことにより両方の光ファイバのフェルールを固定する。
【００１６】
尚、両方の光ファイバ（配線ケーブル）の接続部であるフェルールでの繰返し挿抜が可能であるように割りスリーブ及びゴム管（弾性体よりなる筒部材）を構成する。
【００１７】
また、両方の光ファイバ（配線ケーブル）の接続点での損失、反射減衰量などの伝送特性に影響を与えないように、割りスリーブで両方の配線ケーブルのコアを調心すると共に接続点のフェルール端面が圧接するようにゴム管（弾性体よりなる筒部材）で収縮力を付与するように構成する。
【００１８】
また、配線ケーブルとして、ＳＭＦ（シングルモード光ファイバ）、ＭＭＦ（マルチモード光ファイバ）、ＰＯＦ（プラスチック光ファイバ）あるいはメタリックケーブルの１心あるいは複数用の配線ケーブルを用いることができる。
【００１９】
簡易接続型アダプタは、光アダプタに内蔵されている割りスリーブ１と、割りスリーブ１を覆うゴム管２から構成される。ゴム管２は割りスリーブ１と一体化されており、戸建住宅、ビル構内などの建物内に布設された光ファイバなどの配線ケーブルを接続する際、配線ケーブルの先端に取り付けられたＦ０４形単心光ファイバコネクタ「ＳＣ形光コネクタ」などのコネクタ３に付随されているフェルールなどを接続する。機能的には、割りスリーブ１で、各々の配線ケーブルのコア（中心軸）を調心し、ゴム管２の収縮力で、各々の配線ケーブルをＰＣ（Ｐｈｙｓｉｃａｌ  Ｃｏｎｔａｃｔ）接続し、フェルールを固定（繰返し挿抜が可能）する。配線ケーブルの先端には、Ｆ０４形単心光ファイバコネクタ「ＳＣ形光コネクタ」などのコネクタ３を記載しているが、光コネクタの構造を簡略化（ハウジングを取り外し、フェルールのみの形状）した場合でも実施可能である。当該の簡易接続型アダプタによる接続は、配線ケーブルのコアの調心する機能を有する割りスリーブ１が担っているため、接続部における配線ケーブルの伝送特性（損失、反射減衰量など）に影響を与えない。
【００２０】
図２は本発明の実施形態例に係る簡易接続型アダプタのケーブル配線方法を示す分解斜視図であり、図３（ａ），（ｂ）は同じく外観斜視図である。すなわち、有底筒状のスイッチボックス８の側面に設けられた配管１１を通して幹線ケーブル１２がスイッチボックス８内に導入され、この幹線ケーブル１２の先端部にはフェルール９が取り付けられる。前記スイッチボックス８の内面には取付部１３が設けられる。前記フェルール９はゴム管収納部７内に設けられた図１（ｂ）に示すような簡易接続型アダプタ１４の一方の端部に挿入接続される。前記スイッチボックス８の開口部にはスイッチボックス取付枠６及びフェースプレート取付枠５を介在してフェースプレート４が取り付けられる。この場合、前記ゴム管収納部７、フェルール９及び幹線ケーブル１２はスイッチボックス８内に収納されるが、ゴム管収納部７の一部はフェースプレート４の窓から外部に露出され、簡易接続型アダプタ１４の他方の端部が外面に露出される。１０はユーザ端末側のコネクタに接続された配線ケーブルである。
【００２１】
図３（ａ）に示すように、スイッチボックス８のフェースプレート４にはゴム管収納部７の一部が外部に露出されている。図３（ｂ）に示すように、外部に露出されているゴム管収納部７には配線ケーブル１０のコネクタが挿入接続される。
この場合、配線ケーブル１０のコネクタから突出され配線ケーブル１０に接続されたフェルールはゴム管収納部７内に収納された簡易接続型アダプタ１４の他方の端部に挿入接続される。
【００２２】
図２及び図３には、アウトレット内スイッチボックスなどの狭隘箇所に利用した例を示す。フェースプレート４、フェースプレート取付枠５、スイッチボックス取付枠６、ゴム管収納部７（簡易接続型アダプタ１４を装備）、スイッチボックス８を順次組み合わせ、配線ケーブルの幹線ケーブル１２を成端するアウトレット（光コンセント）を構成する。そこで、幹線ケーブル１２の先端に取り付けられたフェルール９が、簡易接続型アダプタ１４を介し、ユーザ端末側の配線ケーブル１０と接続される。ただし、幹線ケーブル１２の余長処理部は図示しないが、スイッチボックス８内に多大なスペースが必要である。
【００２３】
以上説明したように、簡易接続型アダプタによれば、戸建住宅、ビル構内などの建物内に布設された配線ケーブルを接続する際、接続部の形状が小型化され、アウトレット内スイッチボックス、部屋間管路内などの狭隘箇所において、配線ケーブルの接続が可能となる。また、複雑な機構であるアダプタと光コネクタ双方のハウジング（筐体）が不要となり、価格の低廉化により、ホームネットワークの用に供し易くなる。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２５】
【図１】本発明の実施形態例に係る簡易接続型アダプタを示し、（ａ）は簡易接続型アダプタを構成する割りスリーブ、（ｂ）は簡易接続型アダプタ、（ｃ）は簡易接続型アダプタの使用例である。
【図２】本発明の実施形態例に係る簡易接続型アダプタのケーブル配線方法を示す分解斜視図である。
【図３】（ａ），（ｂ）は本発明の実施形態例に係る簡易接続型アダプタのケーブル配線方法を示す外観斜視図である。
【符号の説明】
【００２６】
１    割りスリーブ
２    弾性体よりなる筒部材の一例としてのゴム管
３    ＳＣ形光コネクタ
【図１】
2005164755.tif 000003
【図２】
2005164755.tif 000004
【図３】
2005164755.tif 000005